(57)【特許請求の範囲】
【請求項１】
ＣＶＤ装置と排気ポンプの間にフィルタ装置を設けた、ＣＶＤソース物質回収装置において、該フィルタ装置内のフィルタがアクリロニトリル単位を５０重量％以上含有しイオン性基を０．１〜６．０ｍｍｏｌ／ｇ含有するアクリロニトリル系重合体により形成された繊維の集合体からなるものであり、且つ、フィルタの空隙率が７０〜９９％であり、フィルタ孔径の異なる複数の層を積層したものであることを特徴とするＣＶＤソース物質回収装置。
【請求項２】
ＣＶＤ装置のＣＶＤ排ガス排出口とフィルタ装置の間の配管にヒーターが設置されている請求項１に記載のＣＶＤソース物質回収装置。
【請求項３】
フィルタ装置内若しくはフィルタ装置下側に液溜器を設けたことを特徴とする請求項１又は２に記載のＣＶＤソース物質回収装置。
【請求項４】
請求項１〜３のいずれかに記載のＣＶＤソース物質回収装置を用いて、フィルタ或いは、フィルタ及び液溜器にＣＶＤソース物質を捕集し、ここからＣＶＤソース物質を回収する事を特徴とする、ＣＶＤソース物質回収方法。
【発明の詳細な説明】
【０００１】
【発明の属する技術分野】
本発明は、化学的気相成長（以下、「ＣＶＤ」と記載する）装置からの排ガス中に含まれるＣＶＤソース物質を回収するための装置、及びこれを用いたＣＶＤソース物質回収方法に関するものである。
【０００２】
【従来の技術】
半導体製造プロセス等で用いられる薄膜の形成方法の１つに、ＣＶＤ法がある。ＣＶＤ法は、形成させようとする薄膜材料を構成する元素からなる１種または２種以上の化合物（ソース物質）のガスを基板上に供給し、気相または基板表面での化学反応(例えば高温中で熱分解、酸化、還元、重合、気相化合反応等)により所望の薄膜を基板上に沈着、形成させる方法である。
ＣＶＤ法は化学反応であるため、非常に広範囲かつ多様な物質の薄膜形成が可能であり、また、種々の気体反応材料の組み合わせにより、自由な組成の制御が可能となり、今までに知られていなかった全く新しい構造・組成の薄膜を合成することができ、しかも、それらの物質の融点よりも充分に低い温度で薄膜を形成できる方法である。
【０００３】
しかし、ＣＶＤ装置からの排ガスには、薄膜形成に寄与しなかった未反応のソース物質やその溶剤等のガス或いはそのミスト、形成薄膜からの粉塵、成膜過程において副生するアルコール、アルデヒド等が含まれ、排ガス中のこれらの成分は有害なものが多く、大気中にそのまま排出することは人体及び環境に悪影響を及ぼす恐れがあるために禁止されている。
このためＣＶＤ排ガスを処理するためＣＶＤ排ガスの排出装置にフィルター装置を設置することがおこなわれている。
【０００４】
【発明が解決しようとする課題】
しかし、ＣＶＤ排ガスには上記のように形成薄膜からの粉塵や未反応のソース物質やその溶剤等のガス或いはそのミストが含まれており、特にソース物質が粘度の高い物質であると、単にフィルターでこれらを捕集しようとしたとき、粉塵とソース物質（ガス状のソース物質等はフィルタ中で液化する）等が複合して目詰まりを起こし、短時間のうちに圧力損失が増大して排気効率が著しく悪化するため頻繁なフィルターの交換が必要であり、実用的ではなかった。
また、フィルターの空隙率を増大させて目詰まりを抑制しようとすると、粉塵のなかの微粒子粉塵や、有害物質の一部がフィルターを通過してしまい実用的ではなかった。
従って、本発明の目的は、圧力損失の増大が無いか又は極軽微であるにもかかわらず、ＣＶＤ排ガス中の未反応のＣＶＤソース物質を効率的に捕集・回収することのできる、ＣＶＤソース物質回収装置、及びこれを用いたＣＶＤソース物質回収方法を提供することにある。
【０００５】
【課題を解決するための手段】
本発明者らは上記に鑑み鋭意研究の結果、本発明に到達した。即ち、本発明は、ＣＶＤ装置と排気ポンプの間にフィルタ装置を設けた、ＣＶＤソース物質回収装置において、該フィルタ装置内のフィルタがアクリロニトリル単位を５０重量％以上含有しイオン性基を０．１〜６．０ｍｍｏｌ／ｇ含有するアクリロニトリル系重合体により形成された繊維の集合体からなるものであり、且つ、フィルタの空隙率が７０〜９９％であり、フィルタ孔径の異なる複数の層を積層したものであることを特徴とするＣＶＤソース物質回収装置を提供するものである。
好ましくは、本装置は、フィルタ装置内若しくはフィルタ装置下側に液溜器を設けた上記ＣＶＤソース物質回収装置を提供するものである。
【０００６】
また、本発明は、上記のＣＶＤソース物質回収装置を用いて、フィルタ或いは、フィルタ及び液溜器にＣＶＤソース物質を捕集し、ここからＣＶＤソース物質を回収する事を特徴とする、ＣＶＤソース物質回収方法である。
【０００７】
【発明の実施の形態】
本発明に使用するフィルタは、アクリロニトリル単位を５０重量％以上含有しイオン性基を０．１〜６．０ｍｍｏｌ／ｇ含有するアクリロニトリル系重合体により形成された繊維の集合体からなるものである。
含有するイオン性基としては、カチオン性基単独でもアニオン性基単独でも、これらを組み合わせてもよいが、好ましくは、カチオン性基単独でないものが良く、より好ましくは、イオン性基中の割合としてカチオン性基０〜３０％、アニオン性基１００〜７０％がよい。
イオン性基を含有する繊維としては、イオン性基の含有量が０．１〜６．０ｍｍｏｌ／ｇである限りいかなる方法で製造しても差しつかえないが次の方法が好適に使いられる。
【０００８】
アニオン性基を含有する繊維としては特公昭６２−６２１８１号に記載されている方法が好適である。すなわち、出発アクリル系繊維としてはアクリロニトリル（以下、ＡＮという）を５０重量％以上含有するＡＮ系重合体により形成された繊維であり形態は短繊維、トウ、不織布等いずれでもかまわない。該ＡＮ系繊維にアニオン性基を付与する方法として、アルカリ加水分解によってニトリル基（以下、ＣＮ基という）をカルボキシル基に変成するものである。
【０００９】
ここで加水分解処理する時のアルカリ金属水酸化物水溶液濃度は６．０ｍｏｌ／１０００ｇ以上であって、使用する金属水酸化物としては、Ｎａ、Ｋ、Ｌｉ等のアルカリ金属類の水酸化物もしくはそれ等の混合物を挙げることができる。又、アルカリ金属水酸化物水溶液の処理量は該繊維１重量部に対し４重量部以上使用することが望ましい。なお、以上のアルカリ金属水酸化物水溶液を作用せしめる際の温度条件或いは処理時間等反応条件としては、該繊維の供試形態、結晶性等重合体の微細構造或いはアルカリ金属水酸化物水溶液濃度等により好適条件範囲が異なるため、一義的に規定することは不可能であるが、一般には高温下に作用させる程反応速度は増大し処理効果を有利に達成し得ることから、好ましくは８０℃以上の温度条件を使用することが望ましい。なお、ここで言うアニオン性基とは、水性媒体中において電離し陰イオンとなる性質を有するものでカルボキシル基の他に、例えばスルホン酸基、リン酸基などがある。
【００１０】
カチオン性基を含有する繊維としては文献 Stela Dragan,G.Grigoriu,Die Angewandte Makromolekulare Chemie 200 (1992)27-36 に記載されている方法が好適である。すなわち、ＡＮを５０重量％以上含有するＡＮ系繊維にアミノ基を含有する薬剤を処理することによってＣＮ基との反応でアミノ基を付与するものである。ここでのアミノ化処理の浴条件はｍｏｌ濃度比でＨ2 Ｏ／ＣＮ基＝２／１、アミン／ＣＮ基＝５／１、処理温度＝１０８℃、処理時間＝２〜１５時間である。
【００１１】
薬剤としては、Ｎ，Ｎ−ジメチル−１，２−ジアミノエタン、Ｎ，Ｎ−ジメチル−１，３−ジアミノプロパン、Ｎ，Ｎ−ジエチル−１，３−ジアミノプロパンなどを挙げることができる。なお、ここで言うカチオン性基とは水性媒体中において電離し陽イオンとなる性質を有するもので、例えばアミノ基、２級アミノ基、３級アミノ基、４級アンモニウム基などがある。
【００１２】
該フィルターに使用される繊維のイオン性基含有量は一般に０．１〜６．０ｍｍｏｌ／ｇ、好ましくは１．０〜５．５ｍｍｏｌ／ｇが好適である。なお、イオン性基が０．１ｍｍｏｌ／ｇ未満の場合は本発明の効果が発現しにくい。６．０ｍｍｏｌ／ｇを超える場合は繊維としての引っ張り強度が弱くなりフィルター等の加工性が悪化することとなる。
【００１３】
本発明は、以上のようなイオン性基を含有する繊維を常法により集合体としたものであり、繊維を集合体とする方法は特に限定されないが、フィルタの空隙率が７０〜９９％、好ましくは８０〜９７％となるようにする必要がある。
空隙率が上記未満であると、フィルターにＣＶＤソース物質等を捕集しようとしたとき目詰まりを起こし、短時間のうちに圧力損失が増大して排気効率が著しく悪化する。一方、空隙率が上記を超えると、捕集機能が著しく低下し、上記したようなイオン性基を有する繊維をもってしてもＣＶＤソース物質等を効果的に捕集することができない。
【００１４】
なお、本発明においては単にフィルターの密度は重要ではなく、空隙率が上記の通りであればよいので、使用する繊維自体の密度を種々選択することによって、空隙率を上記の範囲としながら広範なフィルター密度の種々のフィルターを使用することができ、使用目的、使用環境に応じて種々選択することができる。
本発明に使用するフィルターは、空隙率が上記の通りでることに加えて、更にフィルタ孔径が不均一であることが好ましい。不均一であることの好ましい理由は定かではないが、捕集物質がフィルタ内の一定の層に集中しないため目詰まりを起こし難いと考えられる。
【００１５】
フィルタ孔径の不均一さは、少なくとも、ＣＶＤ排ガス流に平行方向に不均一であればよく、ＣＶＤ排ガス流に垂直方向には必ずしも不均一である必要はない。
ＣＶＤ排ガス流に対する平行方向、垂直方向いずれにも不均一である（等方的に不均一）構造は、例えば、公知の技術により製造される３次元不織布構造をとるフィルタ材料を使用することで得ることができる。
また、ＣＶＤ排ガス流に垂直方向には不均一でなく、平行方向に不均一なフィルタは、例えば、フィルタ孔径の異なる複数のフィルタを積層して得ることができる。勿論、積層する個々のフィルタが等方的に不均一であっても差し支えないが、個々のフィルタの不均一さが同様では、全体として等方的に不均一な上記の場合と何ら違いが無いので、この場合好ましくは、フィルタ孔径の分散が小さい範囲で等方的に不均一で、平均のフィルタ孔径の異なる複数のフィルタを積層することが好ましい。
【００１６】
また、フィルタ孔径の不均一さの程度は、上記等方的に不均一なフィルタ、或いは積層フィルタの何れの場合も、ＣＶＤ排ガス流に平行方向でのフィルタ孔径の平均が１００〜８００μｍであり、その標準偏差が１５０〜３５０μｍ、好ましくはフィルタ孔径の平均が１５０〜５００μｍであり、その標準偏差が１７０〜３１０μｍの範囲にあることが、より目詰まりを起こし難い点で好ましいものである。
【００１７】
本発明のＣＶＤソース物質回収装置は、ＣＶＤ装置と排気ポンプの間に、上記特定のフィルタを用いたフィルタ装置を設けることによりＣＶＤソース物質を効果的に捕集し回収することのできるものである。
本発明のＣＶＤソース物質回収装置は、好ましくは、ＣＶＤ装置とフィルタ装置の間の配管にヒーターが設置されていることがよい。
これは、ＣＶＤソース材料は通常加熱されてガス化されているので、ＣＶＤ装置からの排ガスが室温などの比較的低温の配管に排出された場合、フィルタ装置へ到達する以前に液化し効果的に回収することができない場合があるからである。
【００１８】
本発明のＣＶＤソース物質回収装置は、フィルタ装置内若しくはフィルタ装置下側に液溜器を設けることが好ましいものである。即ち、上記フィルタを使用した本発明の装置を用いてＣＶＤソース物質の捕集を続けると、液体のＣＶＤソース物質、若しくは溶剤に溶解したＣＶＤソース物質を含む液体がフィルタ上に包含しきれずに滴下する。該フィルタはこれら液体を包含しきれなくなっても捕集能力には変化ないので、捕集を続けるだけフィルタの下部に、液体のＣＶＤソース物質、若しくは溶剤に溶解したＣＶＤソース物質を含む液体が溜まることとなる。従って、フィルタ装置内のフィルタ下部位置に液溜器を設けることによりフィルタの含液能力以上のＣＶＤソース物質を、フィルタ交換なしに回収することを可能にするものである。フィルタ下部位置の液溜器としては、単に、フィルタ下部を空間部とするだけでも良い。
【００１９】
また、液溜器をフィルタ装置の下側に設け、フィルタから滴下したＣＶＤソース物質等を該液溜器に導入するように構成することもでき、このようにするとフィルタ交換を長期にわたり不要とするだけでなく、液溜器の容量を超える量のＣＶＤソース物質を捕集しても、ＣＶＤ装置の運転を停止することなく液溜器の交換のみを行うことによりＣＶＤソース物質の捕集を継続することができるので、より好ましいものである。
【００２０】
本発明のＣＶＤソース物質回収装置における、フィルタの形状、フィルタ装置の構造等は特に限定されるものではなく、公知のものを採用することができるが、一例としての具体例は、後述の本発明のＣＶＤソース物質回収方法の説明中に記載する。また、上記液溜器の構成についても、上記機能を有していればよく特に限定されるものではなく、任意の構成とすることができるが、一例としての具体例は、後述の本発明のＣＶＤソース物質回収方法の説明中に記載する。
【００２１】
以下、本発明のＣＶＤソース物質回収方法について説明する。
図１は、本発明のＣＶＤソース物質回収装置の模式図である。（１）はＣＶＤ装置であり、（２）はフィルター装置であり、（３）は排気ポンプである。フィルタ装置内のフィルタはアクリロニトリル単位を５０重量％以上含有しイオン性基を０．１〜６．０ｍｍｏｌ／ｇ含有するアクリロニトリル系重合体により形成された繊維の集合体からなるものであり、且つ、フィルタの空隙率が７０〜９９％となっている。
【００２２】
ＣＶＤ装置（１）のＣＶＤ排ガス排出口より排出されたＣＶＤ排ガスは、配管を通ってフィルタ装置（２）へ導かれる。フィルタ装置（２）内にはフィルタが設置してあり、ＣＶＤ排ガス中の未反応のソース物質、その溶剤、粉塵等がフィルターに捕集され、排気ポンプ（３）から系外に排出される。また、低沸点溶媒や、ソース物質の分解物（水、炭酸ガス、配位子成分等）などのガス状物質が含まれる場合など、任意に排気ポンプ（３）以降に除害設備を設けることもできる（ここでは図示を省略）。
【００２３】
図２は、図１に於けるフィルタ装置の構造を表す模式図である。フィルタ装置（２）内には円筒形のフィルタ（７）が設置されておりＣＶＤ装置（１）から排出された排ガスは円筒形のフィルタ（７）の中心部に向かって流れ、排気ポンプ（３）に導かれる構成となっている。
フィルタ（７）にはＣＶＤ排ガス中の未反応のソース物質、その溶剤、粉塵等が捕集されるので、適宜フィルター（７）をフィルタ装置（２）から取り出して常法により処理してＣＶＤソース物質を回収することができる。
【００２４】
図３は、図１に於ける他のフィルタ装置の構造を表す模式図である。図３は、フィルタ装置（２）において、フィルタ（７）の下部に空間部を設け、ここを液溜器としている点で図２と異なるものである。
フィルタ（７）に捕集されたＣＶＤソース物質等の量が、フィルタ（７）の保液能力を超えるとフィルタ（７）の下部に滴下するので、フィルタ装置（２）の下部空間、即ち液溜器に捕集物（８）が貯留されることとなる。
適宜、液溜器から捕集物（８）、及びフィルター（７）をフィルタ装置（２）から取り出して常法により処理してＣＶＤソース物質を回収することができる。
【００２５】
図４は、フィルタ装置（２）の下側（下部）に、別途液溜器（４）を設けた点で図１と異なる構成である。フィルタ装置（２）で捕集されたＣＶＤソース物質等は、フィルタ装置（２）下側（下部）の液溜器（４）に貯留される。
【００２６】
図５は、このようなフィルタ装置と液溜器の構成を示す模式図である。フィルタ装置（２）の下側（下部）にはバルブ（９）を介して液溜器（４）が接続されている。フィルタ（７）でＣＶＤソース物質等を捕集時にはバルブ（９）は開放にしておくと、フィルタ（７）の保液能力を超えるとフィルタ（７）の下部に滴下するので、バルブ（９）を通って捕集物（８）は液溜器（４）に貯留される。
捕集物（８）が液溜器（４）の容量に満ちてきたら、バルブ（９）を閉じ、液溜器（４）の交換、あるいは液溜器（４）を切り離して捕集物（８）を回収したのち該液溜器（４）を再装填し、再度バルブ（９）を開放することにより、ＣＶＤ装置を停止させずとも捕集物（８）を回収することができ、常法によりＣＶＤソース物質を効率的に回収することができる。
【００２７】
図６は、液溜器（４）をフィルタ装置（２）の下側ではあるが、ＣＶＤ装置（１）の下部に設けた例である。この場合のフィルタ装置及び液溜器の構成を示す模式図が図７である。
ＣＶＤ装置（１）からの排ガスをフィルタ装置（２）に導く配管は、一部、フィルタ装置（２）から液溜器（４）へ捕集物（８）を導く配管と共用している例である。
図８〜図１０は、ＣＶＤ装置（１）から２系統の回収装置を接続してある例である。ＣＶＤ装置（１）内にはソース材料の気化器（５）及び反応器(チャンバ）（６）が含まれている。気化器（５）でソース材料はガス化されて反応器（６）へ送られ、反応器（６）でＣＶＤ反応に供される。ＣＶＤ装置（１）からの排ガスは、反応器（６）から排出されるものと、反応器（６）内でのＣＶＤ反応の安定化のための調節として、気化器（５）から分流され反応器（６）を迂回して排出されるものとがある場合があり、図８〜１０の構成はこのような場合に使用される。
【００２８】
なお、これらの図では記載を省略したが、何れの図に表された装置においても、ＣＶＤ装置のＣＶＤ排ガス排出口とフィルタ装置の間の配管にヒーターが設置されていることが好ましいことは上記の通りである。
【００２９】
本発明のＣＶＤソース物質回収装置及びＣＶＤソース物質回収方法は、一般に高沸点タイプと言われるＣＶＤソース物質の回収に特に有用なものであり、例えば、トリス（２，４−オクタンジオナト）ルテニウム、トリス（６−メチルへプタン−２，４−ジオナト）ルテニウム、トリス（５−メチルヘプタン−２，４−ジオナト）ルテニウム、トリス（３−メチルデカン−４，６−ジオナト）ルテニウム、トリス（２，２，６−トリメチルオクタン−３，５−ジオナト）ルテニウム、トリス（２，６−ジメチルノナン−３，５−ジオナト）ルテニウム、トリス（３−メチルノナン−４，６−ジオナト）ルテニウム、トリス（６−メチルオクタン−３，５−ジオナト）ルテニウム、トリス（３，８−ジメチルノナン−４，６−ジオナト）ルテニウム、ビス（エチルシクロペンタジエニル）ルテニウム、トリス（２，２，６，６−テトラメチル−３，５−ヘプタンジオナト）ルテニウム、ビス（シクロペンタジエニル）ルテニウム、シクロペンタジエニル（ｎ−ブチルシクロペンタジエニル）ルテニウム、シクロペンタジエニル（エチルシクロペンタジエニル）ルテニウム、ビス（２，４−オクタンジオナト）白金、トリメチル（メチルシクロペンタジエニル）白金、トリメチル（エチルシクロペンタジエニル）白金、ジメチル（１，５−シクロオクタジエン）白金、メチルシクロペンタジエニル（１，５−シクロオクタジエン）イリジウム、エチルシクロペンタジエニル（１，５−シクロオクタジエン）イリジウム、ビス（６−エチル−２，２−ジメチル−３，５−デカンジオナト）銅、ビス（１−（２−メトキシ−エトキシ）−２，２，６，６−テトラメチル−３，５−ヘプタンジオナト）バリウム、ビス（２，２，６，６−テトラメチル−３，５−ヘプタンジオナト）バリウム、ビス（２，２，６，６−テトラメチル−３，５−ヘプタンジオナト）ストロンチウム、ビス（１−（２−メトキシ−エトキシ）−２，２，６，６，−テトラメチル−３，５−ヘプタンジオナト）ストロンチウム、テトラキス（１−メトキシ−２−メチル−２−プロポキシ）ハフニウム、テトラキス（１−メトキシ−２−メチル−２−プロポキシ）ジルコニウム、テトラキス（１−（２−メトキシ−エトキシ）−２，２，６，６−テトラメチル−３，５−ヘプタンジオナト）ジルコニウム、テトラキス（２，２，６，６−テトラメチル−３，５−ヘプタンジオナト）ジルコニウム、トリス（１−メトキシ−２−メチル−２−プロポキシ）ビスマス、トリス（２，２，６，６−テトラメチル−３，５−ヘプタンジオナト）ビスマス、ビス（１−（２−メトキシ−エトキシ）−２，２，６，６−テトラメチル−３，５−ヘプタンジオナト）鉛、ビス（２，２，６，６−テトラメチル−３，５−ヘプタンジオナト）鉛、ビス（２，２，６，６−テトラメチル−３，５−ヘプタンジオナト）（２−メチル−２，４−ペンタンジオキシ）チタニウム等のＣＶＤソース物質の回収に有用なものである。
【００３０】
ＣＶＤソース物質が高沸点タイプの材料である場合、ソース物質を有機溶剤に溶解して使用される場合が多い。ここで用いられる有機溶剤は、特に限定されるものではないが、例えば、メタノール、エタノール、２−プロパノール、ｎ−ブタノール等のアルコール類、酢酸エチル、酢酸ブチル、酢酸メトキシエチル等の酢酸エステル類、メチルセロソルブ、エチルセロソルブ、ブチルセロソルブ、ジエチレングリコールモノメチルエーテル等のエーテルアルコール類、テトラヒドロフラン、グライム、ジグライム、トリグライム、ジブチルエーテル等のエーテル類、メチルブチルケトン、メチルイソブチルケトン、エチルブチルケトン、ジプロピルケトン、ジイソブチルケトン、メチルアミルケトン、シクロヘキサノン、メチルシクロヘキサノン等のケトン類、ヘキサン、シクロヘキサン、ヘプタン、オクタン、トルエン、キシレン等の炭化水素が挙げられ、溶質の溶解性、使用温度と沸点、引火点の関係などによって適宜選定されるが、特にテトラヒドロフラン、グライム、ジグライム等のエーテル類が錯体の安定化効果もあり好ましく用いられる。
【００３１】
【実施例】
以下、本発明を実施例によって更に説明するが、これらに限定されるものではない。なお、実施例１は参考例である。
〔実施例１〕
アクリロニトリル単位を８５重量％含有し、イオン性基としてアニオン性基（カルボキシル基）を０．５ｍｍｏｌ／ｇ、カチオン性基（アミノ基）を４．５ｍｍｏｌ／ｇ含有する重合体により形成された繊維の集合体からなる円筒形フィルタ（外径１８０ｍｍ、内径５０ｍｍ、長さ１３０ｍｍ、空隙率が９１．５％、平均孔径３５０μｍ、標準偏差２５０μｍ）を使用して図７のようにフィルタ装置及び液溜器を構成し、２系統の回収装置共に同様のフィルタ装置及び液溜器を接続し、図１０と同様の構成のＣＶＤソース物質回収装置を構成し、ＣＶＤ装置を使用して以下の表１の条件でＣＶＤ法により、シリコンウェーハー基板上にメタル薄膜を形成させ、発生するＣＶＤ排ガスからＣＶＤソース物質を回収した。
【００３２】
【表１】
0004865176.tif 000002
【００３３】
その結果、２系統の排ガス回収物の合計として、フィルタ中には２２．２ｇの、液溜器には１６４．２ｇのＣＶＤソース物質が回収された。但し、プロセス排ガス中に含まれるＲｕメタル量はソース物質重量に換算して上記回収量に含まれる。薄膜形成により消費されたＣＶＤソース材料は約１％と推定されるので、ＣＶＤソース材料の回収率は９５．２％であった。
【００３４】
〔実施例２〕
フィルタには、実施例１で使用した繊維を用い、同様の外径、内径、長さの円筒形フィルタとしたが、空隙率及び孔径分布の異なる２層からなるフィルタ（外側層は空隙率が９１．５％、平均孔径３５０μｍ、標準偏差２５０μｍ、厚さ３５ｍｍ、内側層は空隙率が８６．４％、平均孔径２００μｍ、標準偏差２３５μｍ、厚さ３０ｍｍ、２層フィルタ全体としては空隙率が８９．９％、平均孔径３００μｍ、標準偏差２５０μｍ）を使用して、実施例１と同様に実施した。
その結果、２系統の排ガス回収物の合計として、フィルタ中には２３．１ｇの、液溜器には１６４．５ｇのＣＶＤソース物質が回収された。但し、プロセス排ガス中に含まれるＲｕメタル量はソース物質重量に換算して上記回収量に含まれる。薄膜形成により消費されたＣＶＤソース材料は約１％と推定されるので、ＣＶＤソース材料の回収率は９５．８％であった。
【００３５】
【発明の効果】
本発明は上記のように構成したので、圧力損失の増大が無いか又は極軽微であるにもかかわらず、ＣＶＤ排ガス中の未反応のＣＶＤソース物質を効率的に捕集・回収することのできる、ＣＶＤソース物質回収装置、及びこれを用いたＣＶＤソース物質回収方法を提供することができる。
【図面の簡単な説明】
【図１】本発明のＣＶＤソース物質回収装置の模式図である。
【図２】図１に於けるフィルタ装置の構造を表す模式図である。
【図３】図１に於ける他のフィルタ装置の構造を表す模式図である。
【図４】フィルタ装置（２）の下側（下部）に、別途液溜器（４）を設けた点で図１と異なる構成である。
【図５】フィルタ装置と液溜器の構成を示す模式図である。
【図６】液溜器（４）をフィルタ装置（２）の下側ではあるが、ＣＶＤ装置（１）の下部に設けた例である。
【図７】液溜器（４）をフィルタ装置（２）の下側ではあるが、ＣＶＤ装置（１）の下部に設けた例を示す模式図である。
【図８】ＣＶＤ装置（１）から２系統の回収装置を接続してある例である。
【図９】ＣＶＤ装置（１）から２系統の回収装置を接続してある他の例である。
【図１０】ＣＶＤ装置（１）から２系統の回収装置を接続してある他の例である。
【符号の説明】
１  ＣＶＤ装置
２  フィルター装置
３  排気ポンプ
４  液溜器
５  気化器
６  反応器
７  フィルター
８  捕集物
９  バルブ
【図１】
0004865176.tif 000003
【図２】
0004865176.tif 000004
【図３】
0004865176.tif 000005
【図４】
0004865176.tif 000006
【図５】
0004865176.tif 000007
【図６】
0004865176.tif 000008
【図７】
0004865176.tif 000009
【図８】
0004865176.tif 000010
【図９】
0004865176.tif 000011
【図１０】
0004865176.tif 000012